(57)【要約】【課題】 遊技機の制御用ＲＯＭ等が実装された回路基板を収納する基板ケースにおいて、封止部等を破壊することなく電子部品が交換されるのを防止する。【解決手段】 収容部１１には破線で示すボス２３ａ、２３ｂが内部に設けられており、ここに回路基板２１を介してねじ２５を螺合させることにより回路基板２１を固定する。この際、回路基板２１は電子部品群２７が設けられた側の面が収容部１１内を向くように固定される。本図において収容部１１の下方から図示しないベース部を重合させると、回路基板２１は収容部１１、ベース部の接合箇所よりも収容部１１側に位置され、且つ電子部品群２７が収容部１１の内側を向いた状態となる。従って、収容部１１・ベース部間に隙間があったとしても、ここから工具などを差し込んで電子部品群２７を交換するのは不可能である。【選択図】図３
2010022859.tif 000002
【特許請求の範囲】
【請求項１】
遊技機の制御を行なうための電子部品が片面に実装された回路基板を収容する遊技機の基板ケースにおいて、
前記遊技機に取り付けられる略板状のベース部と、
略無蓋箱状の部材であって、その開口部が前記ベース部で塞がれることにより前記回路基板を収容する空間を創出する収容部と、
前記回路基板を、前記開口部より内側に、且つ前記片面を前記収容部の底面に向けて取り付けるための取付部と、
前記ベース部と、該ベース部に重合された状態の前記収容部とを互いに離脱困難にする封止部と
を備えたことを特徴とする遊技機の基板ケース。
【請求項２】
請求項１に記載の遊技機の基板ケースにおいて、
前記収容部が、前記ベース部に対してスライドさせることによって、該ベース部に重合されるものであって、
前記封止部が、前記ベース部に重合された状態の前記収容部をスライド不可能にするもの
であることを特徴とする遊技機の基板ケース。
【請求項３】
請求項２に記載の遊技機の基板ケースにおいて、
前記ベース部が、略長方形の板状部材であり、
前記収容部が、略直方体状の無蓋箱状の部材であって、前記開口部を成す略長方形の対向する２辺に沿って前記スライドされるものであり、
前記収容部の前記２辺を除く他の２辺、および重合時に該他の２辺に対向する前記ベース部の２辺の計４辺の少なくとも１辺から重合方向に突設された凸条であって、該重合時には前記収容部および前記ベース部の内、当該凸条が突設されなかった方に当接する当接部
を備えたことを特徴とする遊技機の基板ケース。
【請求項４】
請求項３に記載の遊技機の基板ケースにおいて、
前記当接部および該当接部に当接される面の内、一方には凸部を設け、他方には重合時に該凸部に嵌合する凹部を設けた
ことを特徴とする遊技機の基板ケース。
【請求項５】
請求項１から４にいずれか記載の遊技機の基板ケースにおいて、
前記回路基板は、当該基板ケース外の電気装置と当該回路基板とを接続するためのコネクタを備えたものであり、
前記収容部は、該コネクタを当該収容部から露出させるために該コネクタよりも大きく形成されたコネクタ窓を備えたものであり、
該コネクタ窓と前記コネクタの間に生じる隙間を埋める枠状部材であって、前記収容部に着脱自在にされたコネクタカバー
を備えたことを特徴とする遊技機の基板ケース。
【請求項６】
請求項５に記載の遊技機の基板ケースにおいて、
前記取付部が、
前記回路基板をねじで固定するために前記収容部に形成されたボスであり、  前記コネクタカバーが、
前記ボスに外嵌されることにより前記収容部に着脱自在にされているもの
であることを特徴とする遊技機の基板ケース。
【発明の詳細な説明】
【技術分野】
【０００１】
本発明は、遊技機の制御用ＲＯＭ等が実装された回路基板を収納するための基板ケースに関する。
【背景技術】
【０００２】
従来の遊技機においては、裏面側に、遊技の制御を行なう回路基板を収容した基板ケースが設けられている。パチンコ機の場合、回路基板には遊技制御を行なう主制御装置や球払出装置を制御する払出制御装置などの制御回路を成すＩＣや抵抗等の各種電子部品が実装されており、基板ケースはこの回路基板を外部から保護する役割をしている。
【０００３】
近年、このようなパチンコ機が設置されたパチンコホールにて、記憶されたプログラムに従い大当たり等を判定している主制御装置のＲＯＭを不正に交換する行為が行なわれている。そこで、この基板ケースに封止部を設け、不正に開封されることを防止する技術が開示されている。具体的には、基板ケースのベース部（パチンコ機に取り付けられる側の部材）に各種電子部品が実装された基板をボルト締めし、収容部にて覆い、封止部にて封止する構造を採っている。
【０００４】
パチンコ機の基板ケースは製造後にこの封止部を用いて一旦封止するが、警察などの機関によって開封されることがあるため、複数回開封可能となっている。例えば、封止部として、ベース部および収容部の縁に夫々複数個のボスを設け、ベース部を収容部で覆うと両者のボスの位置が整合するようにしておく。こうして位置が整合したボスの内の１〜２個を、ワンウェイねじ等を用いて固定する。こうすると、開封をするにはボスを基板ケースから切断するしかない。予め封止に用いるボスの数を定めておけば、以前に何回開封がされたかを切断されたボスの数から知ることができる。
【発明の概要】
【発明が解決しようとする課題】
【０００５】
しかしながら、上記従来技術によれば、封止部を切断することなく基板上のＲＯＭが交換されることがある。この手口としては例えば、ベース部と収容部の隙間からドライバーなどの工具類を差し込み、基板上のＲＯＭを交換するというものがある。ＲＯＭは、回路基板上に実装されたソケットに差し込まれていることが多いので、こうした交換が行なわれてしまう（なお、このようにＲＯＭがソケットを介して回路基板に実装されている場合も、単に「ＲＯＭが回路基板に実装されている」と呼ぶことにする）。こうした不正が行なわれると、ボスの数からは不正の発生が分からないので発見が遅れ、パチンコホール側が損害を被ってしまう。
【０００６】
本発明はかかる課題に鑑みなされたもので、封止部を破壊することなく電子部品が交換されるのを防止することを目的とする。
【課題を解決するための手段】
【０００７】
かかる課題を解決するためになされた本発明の請求項１に記載の遊技機の基板ケースは、遊技機の制御を行なうための電子部品が片面に実装された回路基板を収容する遊技機の基板ケースにおいて、
前記遊技機に取り付けられる略板状のベース部と、
略無蓋箱状の部材であって、その開口部が前記ベース部で塞がれることにより前記回路基板を収容する空間を創出する収容部と、
前記回路基板を、前記開口部より内側に、且つ前記片面を前記収容部の底面に向けて取
り付けるための取付部と、
前記ベース部と、該ベース部に重合された状態の前記収容部とを互いに離脱困難にする封止部と
を備えたことを特徴とする。
【０００８】
請求項２に記載の本発明は、請求項１に記載の遊技機の基板ケースにおいて、
前記収容部が、前記ベース部に対してスライドさせることによって、該ベース部に重合されるものであって、
前記封止部が、前記ベース部に重合された状態の前記収容部をスライド不可能にするもの
であることを特徴とする。
【０００９】
請求項３に記載の本発明は、請求項２に記載の遊技機の基板ケースにおいて、
前記ベース部が、略長方形の板状部材であり、
前記収容部が、略直方体状の無蓋箱状の部材であって、前記開口部を成す略長方形の対向する２辺に沿って前記スライドされるものであり、
前記収容部の前記２辺を除く他の２辺、および重合時に該他の２辺に対向する前記ベース部の２辺の計４辺の少なくとも１辺から重合方向に突設された凸条であって、該重合時には前記収容部および前記ベース部の内、当該凸条が突設されなかった方に当接する当接部
を備えたことを特徴とする。
【００１０】
請求項４に記載の本発明は、請求項３に記載の遊技機の基板ケースにおいて、
前記当接部および該当接部に当接される面の内、一方には凸部を設け、他方には重合時に該凸部に嵌合する凹部を設けたことを特徴とする。
【００１１】
請求項５に記載の本発明は、請求項１から４にいずれか記載の遊技機の基板ケースにおいて、
前記回路基板は、当該基板ケース外の電気装置と当該回路基板とを接続するためのコネクタを備えたものであり、
前記収容部は、該コネクタを当該収容部から露出させるために該コネクタよりも大きく形成されたコネクタ窓を備えたものであり、
該コネクタ窓と前記コネクタの間に生じる隙間を埋める枠状部材であって、前記収容部に着脱自在にされたコネクタカバーを備えたことを特徴とする。
【００１２】
請求項６に記載の本発明は、請求項５に記載の遊技機の基板ケースにおいて、
前記取付部が、前記回路基板をねじで固定するために前記収容部に形成されたボスであり、
前記コネクタカバーが、前記ボスに外嵌されることにより前記収容部に着脱自在にされているものであることを特徴とする。
【発明の効果】
【００１３】
請求項１に記載の遊技機の基板ケース（以下、基板ケースとも言う）では、回路基板が取り付けられた収容部とベース部とを重合させることにより回路基板を収容する。ベース部は、遊技機に取り付けられる略板状部材であり、従来の基板ケースでは回路基板はこちらに取り付けられていた。これを本発明の基板ケースでは、無蓋箱状の収容部側に取り付けている。しかもこの取り付けに用いられる取付部は、回路基板を、その電子部品が実装されている側の面を収容部の底面に向け、収容部の開口部より内側に位置させる。
【００１４】
このようにして回路基板が取り付けられた収容部をベース部に重合すると、回路基板は
、収容部・ベース部の境目よりも収容部側に位置する。しかも、ＲＯＭなどの電子部品が実装された面が収容部の底面側、つまり内側を向いているため、たとえ収容部とベース部との間に隙間があって、ここから工具を差し込んでも電子部品を交換することができない。なお、この重合状態は封止部によって離脱困難に封止される。
【００１５】
従って、請求項１に記載の基板ケースによれば、破壊することなく電子部品が交換されるのを防止することができる。
請求項２に記載の本発明では、収容部を、ベース部に対してスライドさせることによって、ベース部に重合されるものとし、封止部を、ベース部に重合された状態の収容部をスライド不可能にするものとした。
【００１６】
請求項１に記載の本発明に反し、回路基板をベース部に取り付け、これに対して収容部をスライドするように構成すると、コネクタが設けられた部分などの回路基板の一部を常に露出する必要がある。例えば、特開平１０−２９０８６７号公報に記載された技術は、上蓋部材２６をスライドさせて封止を行なうが、コネクタ部３０が設けられた接続領域３１が露出されている。こうすると、露出された接続領域３１に不正な部品が取り付けられる心配がある。また、スライド式にすることにより、収容部とベース部との間に隙間があきにくくなる反面、回路基板の露出された部分と収容部によって覆われる部分との境に新たな隙間があく可能性がある。これを防ぐため、露出される部分を覆う構成や、前記境を仕切る構成が必要となる。前述の公報では、境を仕切る構成として補助壁４１が設けられている。
【００１７】
この点、本発明では回路基板が収容部側に設けられているので、スライドに影響されることなく回路基板の略全体を覆うことができる。
請求項３に記載の本発明では、ベース部が、略長方形の板状部材であり、
収容部が、略直方体状の無蓋箱状の部材であって、開口部を成す略長方形の対向する２辺に沿ってスライドされるものとされている。
【００１８】
そして収容部の前記２辺を除く他の２辺、および重合時に他の２辺に対向するベース部の２辺の計４辺の少なくとも１辺に当接部が設けられている。当接部は、その１辺から重合方向に突設された凸条であって、重合時には、ベース部、収容部の内、その当接部が突設されなかった方の側面（外側の側面か内側の側面かは、ベース部、収容部のどちらに当接部を設けるか、およびスライド方向によって決まる）に当接するようにされている。
【００１９】
こうすると重合時には、ベース部、収容部のスライド方向に垂直な方向の辺の少なくとも一方の境目には当接部が存在することになるので、たとえここに隙間が存在していても、これを当接部が塞ぐ。従って、この箇所から工具などを差し込むことができない。また、当接部が、その当接部が突設されなかった方の側面に当接するので、重合する際の位置決めをすることもできる。
【００２０】
請求項４に記載の本発明では、当接部およびこの当接部に当接される面の内、一方には凸部を設け、他方には重合時にその凸部に嵌合する凹部を設けている。こうすると、重合させた際に凸部が凹部に嵌合して、収容部がスライド方向と垂直方向にがたつかなくなくなり、重合時の基板ケースの剛性を高めることができる。
【００２１】
請求項５に記載の本発明では、回路基板の備えるコネクタを露出させるために、コネクタよりも大きなコネクタ窓を収容部に形成している。そしてこのコネクタ窓とコネクタの間に生じる隙間を埋めるコネクタカバーが収容部に着脱自在に設けられている。
【００２２】
このような基板ケースによれば、コネクタカバーを交換することにより様々な形状、数
のコネクタに対応できる。また隙間が塞がれているので、不正な部品が基板に取り付けられる心配がない。
【００２３】
請求項６に記載の本発明では、取付部が、回路基板をねじで固定するために収容部に形成されたボスであり、コネクタカバーが、このボスに外嵌するものとされている。
こうすると、コネクタカバーを収容部に取り付けるための特別な構成が不要となる。また、回路基板の位置がボスによって決められ、コネクタは回路基板に対して一定の位置に設けられるので、コネクタとコネクタカバーの位置決めも可能となる。
【図面の簡単な説明】
【００２４】
【図１】本発明を適用した基板ケース１が設けられたパチンコ機の裏面を示す説明図である。
【図２】基板ケース１の斜視図である。
【図３】基板ケース１の収容部１１に回路基板２１が取り付けられる様子を示す斜視図である。
【図４】コネクタカバー２９が収容部１１に取り付けられる様子を示す説明図である。
【図５】収容部１１に回路基板２１が取り付けられる様子をベース部９側から見た斜視図である。
【図６】収容部１１がベース部９に重合される様子を示す説明図である。
【図７】基板ケース１にて行なわれる封止の説明図である。
【図８】図２のＢ−Ｂ′断面図である。
【図９】図２のＣ−Ｃ′断面図である。
【発明を実施するための形態】
【００２５】
以下に本発明の実施例を図面と共に説明する。
まず、図１は本発明を適用した基板ケース１が設けられたパチンコ機の裏面を示す説明図である。基板ケース１は本図に示す様に、パチンコ機の裏面の略中央に取り付けられており、画像制御基板３、賞球制御基板５等とコネクタ群７を介して結線される。
【００２６】
図２に基板ケース１の斜視図を示す。基板ケース１は、パチンコ機に直接取り付けられるベース部９と、ベース部９に重合される収容部１１とを備えている。収容部１１は無蓋箱状の透明の合成樹脂にて形成されており、内部に回路基板が収納されている。そして本図に示すベース部９に重合された状態で、ピン１３がピン挿入口１５に入れられることにより封止される。ピン挿入口１５は４個用意されており、これによりパチンコ機の出荷時を含めて計４回封止が可能にされている。２回目以降の封止を行なうためのピン１７は、収容部１１に取り付けられている。
【００２７】
収容部１１に回路基板２１を取り付ける様子を図３〜５に示す。まず図３に示すように、収容部１１には破線で示すボス２３ａ、２３ｂが内部に設けられており、ここに回路基板２１を介してねじ２５を螺合させることにより回路基板２１を固定する。この際、回路基板２１は電子部品群２７が設けられた側の面が収容部１１内を向くように固定される。なお、回路基板２１をボス２３ａ、２３ｂにあてがうに先んじて、コネクタカバー２９が収容部１１に取り付けられる。コネクタカバー２９は、コネクタ群７の各コネクタの形状に対応した穴３２が形成された枠状部材であり、回路基板２１を収容部１１に固定すると、コネクタ群７が穴３２を介して収容部１１から露出される。一方、収容部１１にはコネクタ群７を露出させるために、コネクタ窓３３が形成されている。これについて図４に示す。
【００２８】
図４はコネクタカバー２９を収容部１１に取り付ける様子を図３とは逆方向から見た斜視図である。コネクタ窓３３は、コネクタカバー２９の穴３２よりも大きく、また、コネクタ群７を成すコネクタの内の幾つかはまとめて、１つのコネクタ窓３３から露出される。これは、収容部１１に回路基板２１とはコネクタの形状や数が異なる回路基板を収容する場合に対応するためである。反面、これによりコネクタカバー２９を用いることなく回路基板２１などを収容部１１に取り付けると、コネクタとコネクタ窓３３との間に隙間があいてしまう。コネクタカバー２９はこの隙間を埋めて、回路基板２１などに不正な部品が取り付けられないようにする。なお、コネクタカバー２９は、その両端付近に形成されたボス２３ａとほぼ同径の穴３５をボス２３ａに嵌めこむことにより収容部１１に着脱自在に取り付けられる。従って、コネクタカバー２９を交換するだけで、回路基板２１以外の回路基板に対応できる。
【００２９】
回路基板２１を収容部１１に取り付ける様子を図５（ａ）に示す。図５（ａ）は、この様子を図４と同方向から見た斜視図である。コネクタカバー２９を収容部１１に取り付けた後、回路基板２１を、電子部品群２７が実装された側を収容部１１の底面３７に向けて載置し、ねじ２５で固定する。この様子を示したのが図５（ｂ）である。本図に示す様に
、収容部１１に取り付けられた回路基板２１は、収容部１１の端面（本図における最上面）よりも収容部１１の内側に位置される。
【００３０】
収容部１１の、コネクタ窓３３（図４参照）側の周壁３９には切欠状の凹部４２が形成されている。また、周壁３９と対向する周壁の内側には長方形の穴状の凹部４３が形成されている。なお、回路基板２１は、スルーホールを用いて電子部品群２７やコネクタ群７が実装された基板であり、図５（ａ）、図５（ｂ）に示された面は半田や電極が露出しているが、何れの図面でもこれらを省略している。
【００３１】
収容部１１をベース部９に重合（以下、単に重合とも言う）させる様子について図６に示す。図６（ａ）は重合させる前の状態、図６（ｂ）は重合させた状態を示す図で、いずれも図２におけるＡ−Ａ′断面にて表している。なお、本図では、重合に特に重要な構成のみを示しており、ボス２３ａ、２３ｂや回路基板２１は省略している。
【００３２】
ベース部９の本図の手前側の周壁４５および図示しない向こう側の周壁には、４つの凸片４７がそれぞれ形成されている。一方、周壁４５に対応する収容部１１側の周壁４９（図５参照）の内側には、凸片４７に係止する４つの係止片５１、および係止前の段階で凸片４７に当接して重合操作途中における収容部１１の位置決めを行なう３つのガイド部５３が設けられている。なお、本図の最も左の凸片４７に対応するガイド部は、周壁３９の下面３９ａがその代わりを果たす。
【００３３】
収容部１１をベース部９に重合させるには、収容部１１を図６（ａ）に示すような位置、すなわち、４つの凸片４７の上にガイド部５３または下面３９ａが位置するようにする。このとき、収容部１１、ベース部９の長手方向（本図において紙面に垂直な方向）の位置も整合させる。この位置から収容部１１を本図において下降させ、凸片４７をガイド部５３（または下面３９ａ）に当接させる。この状態から収容部１１を本図の左方へスライドさせる。すると係止片５１が凸片４７の下側に係止して、収容部１１がベース部９から離れないようになる。なお、ベース部９の、本図において左側の周壁５５には、当接部５７が突設されている。
【００３４】
なお、以上説明した操作を逆に行なうと収容部１１をベース部９から離れさせることができる。封止を行なうためには前述のピン１３またはピン１７をピン挿入口１５に差し込む。これについて図７、８を用いて説明する。
【００３５】
図７は、収容部１１がベース部９に重合されていない様子を示す斜視図である。ピン挿入口１５の各貫通穴は、その周囲が壁状に盛り上げられている。一方、ベース部９側には、ピン挿入口１５の貫通穴に整合する位置に長方形の穴５９が形成された封止用ベース６１が取り付けられている。封止用ベース６１の穴５９は貫通穴であるが、封止用ベース６１がベース部９に取り付けられることにより底のあるものとなる。
【００３６】
ピン１３（ピン１７も同様）は略兀字型をしており、ピン挿入口１５の貫通穴に押し込むと、その二股になった部分が弾性変形して封止用ベース６１に入り込み、収容部１１をベース部９に対してスライド困難な状態にする。この様子を図８（ａ）に示す。図８（ａ）はピン１３を差し込んだピン挿入口１５を図２のＢ−Ｂ′で断面にした図である。本図に示す様に、穴５９はその途中に段が形成されており、ピン１３の鉤部６３がここに係止する。またこのとき、前述した壁状に盛り上げられた部分６５が、ピン１３の頂部６７を包囲する。そして、穴５９の底は、ベース部９によって塞がれるため、この状態のピン１３を抜き取るのは極めて困難である。
【００３７】
なお、正規に封止を解く際には、壁状の部分６５をニッパなどで切り落し、更にピン１
３を切断して抜き取る。この際、収容部１１の上面に封止を解いた日付などを記載し、封止の履歴を残す。このようにピン１３および壁状部分６５を破壊しない限り、基板ケース１の封止を解くのは困難である。なお、基板ケース１の再封止をする際には、ピン１７をピン挿入口１５の別の貫通穴に差し込む。１回の封止に用いるピン１７は１本としておけば、最高４回封止を行なうことができ、また破壊された壁状部分６５の数から封止が解かれた回数を知ることができる。
【００３８】
封止用ベース６１は、ねじ６９でベース部９に内側から固定されている。従って、封止用ベース６１を取り外すのは封止が解かれた後でないと無理である。ピン１３、１７と、ピン挿入口１５と、封止用ベース６１、ベース部９が本発明の封止部に相当する。なお、符号７１は重合時に凹部４３（図５参照）に嵌合する凸部、符号７３は重合時に凹部４２（図５参照）に嵌合する凸部、符号７５は重合時に図示されていない凹部に嵌合する凸部である。これらにより、重合時に収容部１１がベース部９に対してがたつくことがなく、基板ケース１の剛性を高く保つことができる。
【００３９】
図２のＣ−Ｃ′断面を図９に示す。本図に示す様に、重合させた際に、ベース部９に設けられた当接部５７が、ベース部９・収容部１１の接合部分を覆うため、ベース部９・収容部１１間に隙間があかない。なお、当接部５７と略同様の作用をする当接部７７が収容部１１に設けられており、こちら側から工具などを収容部１１内に差し込むことも不可能である。
【００４０】
また回路基板２１は、収容部１１とベース部９の境目よりも上側に位置している。しかも本図には示されていない電子部品群２７が、収容部１１の内側に実装されているため、周壁４５の方向などから万が一、工具などを差し込んでも、回路基板２１に実装されたＲＯＭなどを交換するのは不可能である。なお、電子部品群２７が、収容部１１の内側に実装され、且つ収容部１１が透明の部材で形成されていることにより、開封をすることなく、収容部１１の外側から底面３７を通して電子部品群２７を見ることができる。
【００４１】
以上、本発明を適用した実施例として、基板ケース１について説明してきたが、本発明はこうした実施例に何等限定されるものではなく様々な態様で実施しうる。
例えば、基板ケース１では、当接部５７をベース部９に設け、収容部１１の周壁３９の外側に当接するようにしたが、これを逆にしても良い。すなわち収容部１１に当接部を設け、これがベース部９の周壁５５の内側に当接するようにする。このようにしてもベース部９・収容部１１間に隙間があかないようにすることができる。また、凸部７３に相当するものを収容部１１に、凹部４２に相当するものをベース部９に形成しても良い。
【００４２】
回路基板２１を収容部１１に取り付けるに際し、ねじ２５やボス２３ａ、２３ｂ以外の構成を用いて固定しても良い。また、回路基板２１はスルーホールを用いて電子部品群２７やコネクタ群７を実装した基板であったが、これらを表面実装した基板にしても良い。
【００４３】
基板ケース１では封止をピン１３、ピン挿入口１５、封止用ベース６１等を用いて行なったが、これら以外の構成を用いて行なっても良い。その場合にも、基板ケース１で採用した封止部の態様と同様、封止が解かれたことやその回数が容易に分かる態様であることが望ましい。
【００４４】
また、基板ケース１はパチンコ機用として例示したが、パチンコ機以外の遊技機に適用しても構わない。
【符号の説明】
【００４５】
１…基板ケース
７…コネクタ群       ９…ベース部
１１…収容部         １３、１７…ピン
１５…ピン挿入口     ２１…回路基板
２３ａ、２３ｂ…ボス ２５、６９…ねじ
２７…電子部品群     ２９…コネクタカバー
３２、３５…穴       ３３…コネクタ窓
３９、４５、４９、５５…周壁
３９ａ…下面         ４２、４３…凹部
４７…凸片           ５１…係止片
５３…ガイド部       ５７、７７…当接部
５９…穴             ６１…封止用ベース
６３…鉤部           ６５…壁状部分
６７…頂部           ７１、７３、７５…凸部
【図１】
2010022859.tif 000003
【図２】
2010022859.tif 000004
【図３】
2010022859.tif 000005
【図４】
2010022859.tif 000006
【図５】
2010022859.tif 000007
【図６】
2010022859.tif 000008
【図７】
2010022859.tif 000009
【図８】
2010022859.tif 000010
【図９】
2010022859.tif 000011
【手続補正書】
【提出日】平成21年11月9日(2009.11.9)
【手続補正１】
【補正対象書類名】明細書
【補正対象項目名】０００７
【補正方法】変更
【補正の内容】
【０００７】
かかる課題を解決するためになされた本発明の請求項１に記載の遊技機の基板ケースは、遊技機の制御を行なうための電子部品群と、該電子部品群を外部の電気装置に接続するためのコネクタ群とが実装された回路基板を収容する遊技機の基板ケースにおいて、
前記遊技機に取り付けられる略板状のベース部と、
略無蓋箱状の透明の部材であって、その開口部が前記ベース部で塞がれることにより前記回路基板を前記開口部より内側に収容する空間を創出する収容部と、
前記回路基板のうち、前記電子部品群が実装される部分の周囲に設けられたネジ穴と、
前記収容部の内部空間のうち、前記コネクタ群以外を収容する部分であって、前記回路基板を前記収容部に取り付けたとき前記各ネジ穴に対応する位置に設けられた取付部と、
前記収容部に形成され、前記コネクタ群を構成するコネクタを当該収容部から露出させるために該コネクタよりも大きく形成されたコネクタ窓と、
該コネクタ窓と前記コネクタの間に生じる隙間を埋める枠状部材であって、前記コネクタを露出させる穴を有し、かつ、前記収容部に取り付けたときに、前記ネジ孔に対応する位置にネジ通孔が設けられた、前記収容部に着脱自在にされたコネクタカバーと、
を備え、
前記コネクタカバーを前記収容部に取り付け、前記コネクタカバーと前記コネクタ窓が形成された部分の収容部とが重ねられた後、前記第１コネクタ窓及び前記穴に前記コネクタを通し、前記電子部品群が実装されている側を前記収容部の内側に向けて、前記収容部の開口部より内側に前記回路基板を位置させ、前記回路基板の裏面側から前記各ネジ穴、前記ネジ通孔及び前記各取付部にネジを通して固定し、
前記回路基板が取り付けられた前記収容部と、前記ベース部とが重合させられることにより、該回路基板が収容されることを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１５
【補正方法】変更
【補正の内容】
【００１５】
従って、請求項１に記載の基板ケースによれば、破壊することなく電子部品が交換されるのを防止することができる。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】特許請求の範囲
【補正対象項目名】全文
【補正方法】変更
【補正の内容】
【特許請求の範囲】
【請求項１】
遊技機の制御を行なうための電子部品群と、該電子部品群を外部の電気装置に接続するためのコネクタ群とが実装された回路基板を収容する遊技機の基板ケースにおいて、
前記遊技機に取り付けられる略板状のベース部と、
略無蓋箱状の透明の部材であって、その開口部が前記ベース部で塞がれることにより前記回路基板を前記開口部より内側に収容する空間を創出する収容部と、
前記回路基板のうち、前記電子部品群が実装される部分の周囲に設けられたネジ穴と、
前記収容部の内部空間のうち、前記コネクタ群以外を収容する部分であって、前記回路基板を前記収容部に取り付けたとき前記各ネジ穴に対応する位置に設けられた取付部と、
前記収容部に形成され、前記コネクタ群を構成するコネクタを当該収容部から露出させるために該コネクタよりも大きく形成されたコネクタ窓と、
該コネクタ窓と前記コネクタの間に生じる隙間を埋める枠状部材であって、前記コネクタを露出させる穴を有し、かつ、前記収容部に取り付けたときに、前記ネジ孔に対応する位置にネジ通孔が設けられた、前記収容部に着脱自在にされたコネクタカバーと、
を備え、
前記コネクタカバーを前記収容部に取り付け、前記コネクタカバーと前記コネクタ窓が形成された部分の収容部とが重ねられた後、前記第１コネクタ窓及び前記穴に前記コネクタを通し、前記電子部品群が実装されている側を前記収容部の内側に向けて、前記収容部の開口部より内側に前記回路基板を位置させ、前記回路基板の裏面側から前記各ネジ穴、前記ネジ通孔及び前記各取付部にネジを通して固定し、
前記回路基板が取り付けられた前記収容部と、前記ベース部とが重合させられることにより、該回路基板が収容されることを特徴とする遊技機の基板ケース。